【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
略円筒形状を呈する基部と、
前記基部に収納される弁体と、
前記基部を貫通して設けた第１収納孔に収納される複数の第１鋼球と、
前記基部を貫通すると共に、前記第１収納孔よりも軸方向に沿って長く形成される第２収納孔に収納される第２鋼球と、
前記第１鋼球および前記第２鋼球を内側から支持し、軸方向に沿って変位可能なリング状の内側支持部と、
前記第１鋼球および前記第２鋼球を外側から支持し、軸方向および回転方向に沿って変位可能なリング状の外側支持部と、
軸方向に沿って前記弁体に付勢力を与える第１付勢手段と、
軸方向に沿って前記内側支持部に付勢力を与える第２付勢手段と、
軸方向および回転方向に沿って前記外側支持部に付勢力を与える第３付勢手段と、
前記内側支持部の内部に配置されたＯリングと、を具備し、
プラグが挿入されて気密状態となる挿入状態、前記プラグが挿入されて非気密状態となる半挿入状態、および、前記プラグが引きぬかれた状態である非挿入状態をとることができ、
前記プラグとして、拡径部がその中間部に形成された第１プラグと、前記拡径部から前方に向かって突出する先端部の長さが前記第１プラグよりも長い第２プラグと、を挿入可能であり、
前記挿入状態では、前記外側支持部の内面に設けられた第１溝に接触することで半径方向内側に配置された前記第１鋼球に、前記プラグの前記拡径部が嵌合し、更に、前記第２鋼球は、前記第２収納孔の内部にて軸方向に沿って変位可能であり、
前記半挿入状態では、前記外側支持部が回転方向に変位することで、前記外側支持部の内面に設けられて前記第１溝よりも深い第２溝に収納された前記第１鋼球が半径方向外側に配置され、前記第１鋼球と前記プラグの前記拡径部との嵌合が解除され、前記プラグの前記拡径部は前記第２鋼球と嵌合し、
前記非挿入状態では、前記外側支持部が軸方向に変位することで、前記第１鋼球および前記第２鋼球が半径方向外側に配置され、前記プラグの前記拡径部と前記第２鋼球との嵌合が解除され、
前記Ｏリングは、前記第１プラグが挿入された際には、前記第１プラグの前端面に当接し、前記第２プラグが挿入された際には、前記第２プラグの外側側面に当接することを特徴とするソケット。
【請求項２】
前記Ｏリングは、半径方向内側に向かって隆起する第１突出部と、前記第１突出部より大きく内部に向かって隆起する第２突出部と、を有し、
前記第１プラグが挿入された際には、前記第１プラグの外側側面が前記第１突出部に当接し、
前記第２プラグが挿入された際には、前記第２突出部が前記第２プラグの外側側面に当接する、ことを特徴とする請求項１に記載のソケット。
【請求項３】
前記挿入状態では、前記プラグの前記拡径部が前記第１鋼球に係合すると共に、前記内側支持部の外側端部が前記第１鋼球に当接することを特徴とする請求項１または請求項２に記載のソケット。
【請求項４】
請求項１から請求項３の何れかに記載されたソケットと、前記ソケットに挿入されるプラグとを具備することを特徴とする管継手。
【手続補正２】
【補正対象書類名】明細書
【補正対象項目名】００１１
【補正方法】変更
【補正の内容】
【００１１】
本発明のソケットは、略円筒形状を呈する基部と、前記基部に収納される弁体と、前記基部を貫通して設けた第１収納孔に収納される複数の第１鋼球と、前記基部を貫通すると共に、前記第１収納孔よりも軸方向に沿って長く形成される第２収納孔に収納される第２鋼球と、前記第１鋼球および前記第２鋼球を内側から支持し、軸方向に沿って変位可能なリング状の内側支持部と、前記第１鋼球および前記第２鋼球を外側から支持し、軸方向および回転方向に沿って変位可能なリング状の外側支持部と、軸方向に沿って前記弁体に付勢力を与える第１付勢手段と、軸方向に沿って前記内側支持部に付勢力を与える第２付勢手段と、軸方向および回転方向に沿って前記外側支持部に付勢力を与える第３付勢手段と、前記内側支持部の内部に配置されたＯリングと、を具備し、プラグが挿入されて気密状態となる挿入状態、前記プラグが挿入されて非気密状態となる半挿入状態、および、前記プラグが引きぬかれた状態である非挿入状態をとることができ、前記プラグとして、拡径部がその中間部に形成された第１プラグと、前記拡径部から前方に向かって突出する先端部の長さが前記第１プラグよりも長い第２プラグと、を挿入可能であり、前記挿入状態では、前記外側支持部の内面に設けられた第１溝に接触することで半径方向内側に配置された前記第１鋼球に、前記プラグの前記拡径部が嵌合し、更に、前記第２鋼球は、前記第２収納孔の内部にて軸方向に沿って変位可能であり、前記半挿入状態では、前記外側支持部が回転方向に変位することで、前記外側支持部の内面に設けられて前記第１溝よりも深い第２溝に収納された前記第１鋼球が半径方向外側に配置され、前記第１鋼球と前記プラグの前記拡径部との嵌合が解除され、前記プラグの前記拡径部は前記第２鋼球と嵌合し、前記非挿入状態では、前記外側支持部が軸方向に変位することで、前記第１鋼球および前記第２鋼球が半径方向外側に配置され、前記プラグの前記拡径部と前記第２鋼球との嵌合が解除され、前記Ｏリングは、前記第１プラグが挿入された際には、前記第１プラグの前端面に当接し、前記第２プラグが挿入された際には、前記第２プラグの外側側面に当接することを特徴とする。
【手続補正３】
【補正対象書類名】明細書
【補正対象項目名】００１２
【補正方法】削除
【補正の内容】
【手続補正４】
【補正対象書類名】明細書
【補正対象項目名】００１６
【補正方法】変更
【補正の内容】
【００１６】
本発明のソケットは、略円筒形状を呈する基部と、前記基部に収納される弁体と、前記基部を貫通して設けた第１収納孔に収納される複数の第１鋼球と、前記基部を貫通すると共に、前記第１収納孔よりも軸方向に沿って長く形成される第２収納孔に収納される第２鋼球と、前記第１鋼球および前記第２鋼球を内側から支持し、軸方向に沿って変位可能なリング状の内側支持部と、前記第１鋼球および前記第２鋼球を外側から支持し、軸方向および回転方向に沿って変位可能なリング状の外側支持部と、軸方向に沿って前記弁体に付勢力を与える第１付勢手段と、軸方向に沿って前記内側支持部に付勢力を与える第２付勢手段と、軸方向および回転方向に沿って前記外側支持部に付勢力を与える第３付勢手段と、前記内側支持部の内部に配置されたＯリングと、を具備し、プラグが挿入されて気密状態となる挿入状態、前記プラグが挿入されて非気密状態となる半挿入状態、および、前記プラグが引きぬかれた状態である非挿入状態をとることができ、前記プラグとして、拡径部がその中間部に形成された第１プラグと、前記拡径部から前方に向かって突出する先端部の長さが前記第１プラグよりも長い第２プラグと、を挿入可能であり、前記挿入状態では、前記外側支持部の内面に設けられた第１溝に接触することで半径方向内側に配置された前記第１鋼球に、前記プラグの前記拡径部が嵌合し、更に、前記第２鋼球は、前記第２収納孔の内部にて軸方向に沿って変位可能であり、前記半挿入状態では、前記外側支持部が回転方向に変位することで、前記外側支持部の内面に設けられて前記第１溝よりも深い第２溝に収納された前記第１鋼球が半径方向外側に配置され、前記第１鋼球と前記プラグの前記拡径部との嵌合が解除され、前記プラグの前記拡径部は前記第２鋼球と嵌合し、前記非挿入状態では、前記外側支持部が軸方向に変位することで、前記第１鋼球および前記第２鋼球が半径方向外側に配置され、前記プラグの前記拡径部と前記第２鋼球との嵌合が解除され、前記Ｏリングは、前記第１プラグが挿入された際には、前記第１プラグの前端面に当接し、前記第２プラグが挿入された際には、前記第２プラグの外側側面に当接することを特徴とする。従って、軸方向に長く形成される第２収納孔に第２鋼球が収納されていることで、第２収納孔の内部で第２鋼球が移動できることから、挿入状態に於いては、プラグの先端部の長さに応じて第２収納孔の内部で第２鋼球を所定箇所に配置させることができる。更には、半挿入状態で、第２収納孔の軸方向外側端部に配置された第２鋼球にプラグの拡径部を係合させることで、半挿入状態に於いてプラグがソケットから離脱してしまうことを防止すること時できる。更に、半挿入状態で、第２収納孔の軸方向外側端部に配置された第２鋼球に、内側支持部の外側端部を当接させることで、内側支持部の位置を規定することができる。更には、先端部が短い第１プラグが挿入された際には、第１プラグの先端面がＯリングに当接することで、ソケットの内部に於ける気密性を確保できる。また、先端部が長い第２プラグが挿入された際には、プラグの外側側面がＯリングに当接することで、ソケットの内部に於ける気密性を確保できる。よって、先端部の長さが異なるプラグが挿入された場合であっても、挿入時に於ける気密性を確保し、圧縮流体の外部への漏出を防止できる。
【手続補正５】
【補正対象書類名】明細書
【補正対象項目名】００１７
【補正方法】削除
【補正の内容】